(57)【要約】      （修正有）【課題】地下埋設ボックス本体上に載置連結される縁塊における開口部の開口端面を、地表面が傾斜していても、これに対応させた勾配方向、傾斜角度に簡単に調整できる地下埋設ボックス用縁塊の勾配調整リング装置を提供する。【解決手段】地中に埋設する地下埋設ボックスＢの上部天壁と、地表面に開口部を位置させて地下埋設ボックスＢ上に配置する縁塊Ｒとの間に介装する勾配調整リング装置１となるよう、上下で対状に重ね合わせる合成樹脂材製の一対の傾斜リング体２から成る。傾斜リング体２は、地下埋設ボックスＢの上部天壁の開口部に対応した開口のドーナツ円盤状を呈し、中心の対称位置の一方部分は肉厚とし、他方部分は肉薄として側面から見てなだらかに連続傾斜しており、円盤面の一方は平坦面３で、他方は傾斜面４とし、傾斜リング体２それぞれの傾斜面４相互を当接させた回転可能状態で重ね合わせて成る。また傾斜面４それぞれには、止水シール材Ｓを嵌合するシール材嵌合溝５を形成する。【選択図】図１
0003192065.tif 000002
【実用新案登録請求の範囲】
【請求項１】
地中に埋設される地下埋設ボックスの上部天壁と、地表面に開口部を位置させて地下埋設ボックス上に配置される縁塊との間に介装される勾配調整リング装置であって、この勾配調整リング装置は、上下で対状に重ね合わせて配置される合成樹脂材製の一対の傾斜リング体から成り、傾斜リング体は、地下埋設ボックスの上部天壁に開口形成された開口部の開口内法大きさに対応した開口内法大きさに形成された平面から見てドーナツ円盤状を呈すると共に、中心位置を中心とした対称位置の一方部分は肉厚とし、他方部分は肉薄として肉厚部分と肉薄部分とは側面から見てなだらかに連続して傾斜していることで、円盤面の一方は平坦面で、他方は傾斜面となして形成してあって、傾斜リング体それぞれの傾斜面相互を当接させた回転可能状態で重ね合わせられるようになっていることを特徴とする地下埋設ボックス用縁塊の勾配調整リング装置。
【請求項２】
傾斜リング体の傾斜面に、ドーナツ円盤面に沿って止水シール材を嵌め入れるシール材嵌合溝を形成してある請求項１に記載の地下埋設ボックス用縁塊の勾配調整リング装置。
【請求項３】
傾斜リング体の外周側面、平坦面の少なくともいずれか一方に、それぞれの同一箇所に基準マークを表示してある請求項１または２に記載の地下埋設ボックス用縁塊の勾配調整リング装置。
【考案の詳細な説明】
【技術分野】
【０００１】
この考案は、地中に埋設される各種のケーブル等の配線、配管等を集約し、また分岐するように地中表面に埋設されるハンドホール、マンホールの如き地下埋設ボックスにおいて、内部点検その他のために作業員等が出入りするよう地下埋設ボックス本体上に連結配置される縁塊の開口部を、地表面が傾斜していてもその傾斜面となだらかな面一状となるようレベル調整を容易にし、簡単に構築できるようにした地下埋設ボックス用縁塊の勾配調整リング装置に関する。
【背景技術】
【０００２】
従来から、地中に埋設される各種の配線、配管は、地中に埋設されるハンドホール、マンホール等の各種の地下埋設ボックスを利用してそれらを集約したり、分岐したりする。これらの地下埋設ボックスは、底壁部分を備え、周壁の一部に薄肉状のノックアウト部分を有する箱状の本体と、この本体内に作業員その他を出入りさせるようにして地表面に露出される枠状の縁塊と称する出入り口部とから成り、例えば現地組立式のものとして構成されるように提供されている。
【０００３】
また、地下に埋設するに際し、地下埋設ボックス内部への出入り等のための縁塊における開口部の開口端面は地表面とほぼ平滑となるよう面一状に設定される。ところが、地下埋設ボックスを埋設させる場所が平坦面であるとは限らず、少なからず、いずれかの方向で傾斜されていることが多く、その傾斜面に対応して縁塊の開口部の開口端面に所定の勾配を設定形成する必要がある。
【０００４】
こうしたことから、地下埋設ボックスの縁塊に所定の勾配をその設置現場に対応して調整設定できるようにした例えば特許文献１に係る可変勾配首環リングがある。この可変勾配首環リングは、地下埋設物の開口部に装着されるよう少なくとも上下で一対となる傾斜リングによって構成されていて、各傾斜リングはそれぞれその接合部位に設けた傾斜面と、その傾斜面に沿って設けた突条および嵌合溝とを有し、各傾斜リングを回すことにより、首環リング上面の傾斜角度を変えられるようにするとして形成されている。
【先行技術文献】
【特許文献】
【０００５】
【特許文献１】登録実用新案第３０２４９７５号公報
【考案の概要】
【考案が解決しようとする課題】
【０００６】
この可変勾配首環リングによると、地下埋設物の構築設置現場で、地表面が傾斜していてもその傾斜に対応して開口部の開口端面に簡単に勾配を設定できる利点がある。ところが、傾斜リング自体は鉄筋コンクリート材製であるために、傾斜に対応させて上下で組み合わせた傾斜リングの上部分を下部分に対して回転調整させるとしても、その重量のために回転させることは簡単ではなく、作業者にとっては肉体的負担も大きいものである。そればかりでなく、下部分と上部分とが接合する円環部位に形成した突条と嵌合溝との嵌め合い構造は、傾斜リングの回転を無理に行うと破断・破損されることがあり、設置後で地下埋設ボックス内への地中水分等の浸入を防止できなくなる虞がある。
【０００７】
そこでこの考案は上述したような従来存した諸事情に鑑み案出されたもので、その目的は地下埋設ボックス本体上に載置連結される縁塊における開口部の開口端面を傾斜している地表面と対応させるよう、縁塊設置時の勾配調整作業を作業者一人であっても簡単に調整設定でき、しかも構築後では地下埋設ボックス内への雨水の浸入等を確実に防止できるようにした地下埋設ボックス用縁塊の勾配調整リング装置を提供することにある。
【課題を解決するための手段】
【０００８】
上述した課題を解決するため、この考案にあっては、後述する考案を実施するための形態における使用符号を付記して説明すると、地中に埋設される地下埋設ボックスＢの上部天壁と、地表面ＧＬに開口部を位置させて地下埋設ボックスＢ上に配置される縁塊Ｒとの間に介装される勾配調整リング装置１であって、この勾配調整リング装置１は、上下で対状に重ね合わせて配置される合成樹脂材製の一対の傾斜リング体２から成り、傾斜リング体２は、地下埋設ボックスＢの上部天壁に開口形成された開口部の開口内法大きさに対応した開口内法大きさに形成された平面から見てドーナツ円盤状を呈すると共に、中心位置を中心とした対称位置の一方部分は肉厚とし、他方部分は肉薄として肉厚部分と肉薄部分とは側面から見てなだらかに連続して傾斜していることで、円盤面の一方は平坦面３で、他方は傾斜面４として形成してあって、傾斜リング体２それぞれの傾斜面４相互を当接させた回転可能状態で重ね合わせられるようになっていることを特徴とする。
傾斜リング体２の傾斜面４に、ドーナツ円盤面に沿って止水シール材Ｓを嵌め入れるシール材嵌合溝５を形成して構成することができる。
傾斜リング体２の外周側面、平坦面３の少なくともいずれか一方に、それぞれの同一箇所に基準マーク６を表示して構成することができる。
【０００９】
以上のように構成されたこの考案に係る地下埋設ボックス用縁塊の勾配調整リング装置にあって、地中に埋設される地下埋設ボックスＢの上部天壁上に縁塊Ｒを載置し、連結するに際し、縁塊Ｒの開口部面を地表面ＧＬに面一状に合致させるとき、地表面ＧＬに傾斜あるいは勾配がある場合に、地下埋設ボックスＢと縁塊Ｒとの間に勾配調整リング装置１が介装されることで、その傾斜に対応した勾配を縁塊Ｒに設定させる。
勾配調整リング装置１において上下で対状に組み合わせられる傾斜リング体２は、傾斜面４それぞれによって互いに当接されていることで、一方の傾斜リング体２に対する他方の傾斜リング体２のダイヤル式の回転は、上位の傾斜リング体２の上端面である平坦面３の傾斜角度を下位の傾斜リング体２の下端面である平坦面３との間で自在に調整させ、またその勾配の方向の選定と共に地表面ＧＬの傾斜に対応させる。
合成樹脂製の傾斜リング体２は、その軽量性の故に地下埋設ボックスＢ、縁塊Ｒの設置現場への搬入、更には傾斜リング体２自体のダイヤル式回転作業を容易にさせ、またその微調整も簡単にさせる。
上下で対状に組み合わせられる傾斜リング体２の傾斜面４に形成したシール材嵌合溝５に嵌合封入される止水シール材Ｓは、縁塊Ｒが勾配調整リング装置１上に載置されることと相俟ち、勾配調整リング装置１の内外を密封させ、外部からの地中水分等の浸入を阻止させる。
傾斜リング体２の外周側面、平坦面３に表示された基準マーク６は、相対的回転による上下で重ねられた傾斜リング体２の回転組合せ位置を明らかにさせ、相互の合致あるいは離反間隔の大小は傾斜角度を設定調整させるときの目印とさせる。
【考案の効果】
【００１０】
この考案は以上説明したように構成されているため、地下埋設ボックスＢ上に載置連結される縁塊Ｒにおける開口部の開口端面を傾斜している地表面ＧＬと対応させるようにする勾配調整作業を、地下埋設ボックスＢと縁塊Ｒとの間で介装されるこの考案に係る勾配調整リング装置１によって作業者一人であっても簡単に調整設定できる。この調整設定によって縁塊Ｒの開口部を勾配がある地表面ＧＬに面一状にして、開口部に施蓋される例えば鉄蓋Ｃによってなだらかに連続している平坦面となすことができ、交通往来等をスムーズにさせ、しかも構築後では、嵌合封入される止水シール材Ｓによって地下埋設ボックスＢ内への地中水分の浸入等をも確実に防止できるのである。
【００１１】
すなわちこれはこの考案において、上下で対状に重ね合わせ合成樹脂材製の一対の傾斜リング体２それぞれがドーナツ円盤状で、中心対称位置の一方部分は肉厚とし、他方部分は肉薄として側面から見てなだらかに傾斜していることで、円盤面の一方は平坦面３で、他方は傾斜面４となして形成してあって、傾斜リング体２がそれぞれの傾斜面４相互を当接させた回転可能状態で重ね合わせられるようになっているからであり、これによって、傾斜リング体２相互の相対的回転によって、勾配調整リング装置１自体の上面における勾配方向、傾斜角度を調整でき、地表面ＧＬに位置される縁塊Ｒの開口部を地表面ＧＬの傾斜と面一状になるよう対応させることができる。
【００１２】
また、傾斜リング体２それぞれは合成樹脂材製であるから、従来の例えばコンクリート材製の調整リングに比し極めて軽量に構成でき、設置現場への輸送・搬入に際しても損傷されることがないばかりでなく、設置現場における相対的回転による勾配方向、傾斜角度の調整を一人の作業員であってもこれ等を簡単に作業できる。しかも、傾斜リング体２自体は上下で反転して組み合わせられるよう同一構造のものであるから、製品管理も容易であるばかりでなく、廃プラスチックを素材とすることでその資源化に役立ち、エコロジーでもある。
【００１３】
上下で反転した状態で重ね合わせられる傾斜リング体２の傾斜面４には、ドーナツ円盤面に沿って止水シール材Ｓを嵌め入れるシール材嵌合溝５が形成されているから、嵌合封入された止水シール材Ｓによって内外を密封でき、地中に埋設後でも外部に存する地下水分等の地下埋設ボックスＢ内への浸入を阻止でき、内部環境を維持できる。
【００１４】
傾斜リング体２の外周側面、平坦面３には基準マーク６が表示されているから、重ね合わせたときの傾斜リング体２同士の相対的回転による回転量を容易に知ることができ、位相回転による組合せ位置の相違によって設定される傾斜角度の目安を簡単に把握でき、調整作業の迅速化に役立つ。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す組立状況概要を説明する一部切欠の分解斜視図である。
【図２】同じく平坦な地表面である場合の組立構築後の一部の拡大図を含む正面図である。
【図３】同じく傾斜した地表面である場合の組立構築後の正面図である。
【考案を実施するための形態】
【００１７】
以下、図面を参照してこの考案を実施するための一形態を説明すると、図において示される符号１はこの考案に係る合成樹脂材製の勾配調整リング装置であり、例えば電設資材の搬入出、作業員の出入りのための開口部を上方に向けて所定の場所の地中に埋設されるハンドホール、マンホールの如き地下埋設ボックスＢの上部天壁と、地下埋設ボックスＢの開口部に連結して設けられるよう、地表面ＧＬに配置される出入り開口部に鉄蓋Ｃが施蓋されるリング状の縁塊Ｒとの間に介装される。
【００１８】
この勾配調整リング装置１自体は、図示のように、反転状態で上下で対状に重ね合わせて配置される合成樹脂材製の同一構造とした一対の傾斜リング体２から成る。傾斜リング体２は、地下埋設ボックスＢの開口部の開口内法大きさに対応した開口内法大きさに形成された平面から見てドーナツ円盤（円枠）状を呈すると共に、中心位置を中心とした対称位置の一方部分は肉厚とし、他方部分は肉薄として肉厚部分と肉薄部分とは側面から見てなだらかに連続して傾斜していることで、円盤面の一方は平坦面３で、他方は傾斜面４となして形成してあって、傾斜リング体２それぞれの傾斜面４相互を当接させた状態にして重ね合わせられるようになっている。
【００１９】
傾斜リング体２における肉厚部分の高さは例えば３５ｍｍ程度とし、肉薄部分の高さは例えば１５ｍｍ程度としてある。そして、傾斜リング体２の外径が例えば８５０ｍｍである場合には、肉厚部分同士を重ね合わせた部分の一方は７０ｍｍの高さとなり、肉薄部分同士が重ね合わせられた部分の他方は３０ｍｍの高さとなることで勾配が４％となり、肉厚部分と肉薄部分とが重ね合わせられた場合に勾配が０％となるものとしてあることで、重ね合わせ位置の調整で勾配を０〜４％の範囲で調整可能に設定してある。もとより、傾斜リング体２自体の肉厚部分、肉薄部分の高さはこれに限定されるものではなく、調整すべき例えば地表面ＧＬにおける勾配に対応できるように高さ、傾斜角度等は任意に設定できるものとしてある。
【００２０】
また、この傾斜リング体２の傾斜面４には、ドーナツ円盤面に沿って止水シール材Ｓを嵌め入れるシール材嵌合溝５が形成されており、このシール材嵌合溝５に止水シール材Ｓを圧潰状にしてでも嵌め入れることで、傾斜リング体２の当接される傾斜面４相互間の間隙を経ての地中水分等の浸入を阻止できるようにしている。止水シール材Ｓ自体は例えば断面で円形状のブチルゴム材製の紐状にあるいはリング状に形成されていて、シール材嵌合溝５に沿って嵌め入れられることで傾斜面４相互間に封入されるものとしてある。
【００２１】
互いに当接する傾斜面４によって上下で反転させて対称的に重ね合わせられる傾斜リング体２では、一対で重ね合わせるときの平面上での相対的な回転、すなわちダイヤル式の回転によって、勾配角度、勾配方向が適宜に設定可能である。その調整設定を行う上での目印となる基準マーク６が例えば傾斜リング体２における肉厚部分の外周側面及び平坦面３それぞれに例えば▲印として表示されている。この基準マーク６は、傾斜リング体２の外周側面、平坦面３の少なくともいずれか一方に表示されていれば足りるも、外周側面、平坦面３の両方に表示される場合には、そのほぼ同一箇所に同様な基準マーク６が表示されるようにする。
【００２２】
こうすることで、上下で反転させて重ね合わせられるとき、同一の基準マーク６が合致しているときは肉厚部分が重なることで勾配が最も高くなり、逆に基準マーク６が最も離れるときは肉厚部分に肉薄部分が重なることで勾配がない平坦面とすることが可能である。また、平坦面３に基準マーク６が表示されていると、傾斜リング体２の側方から基準マーク６を確認することなく、上方からの視認によって容易に確認することができる。尚、基準マーク６を基準として、例えば３０°、６０°、９０°間隔で複数のそれぞれが異なる基準マーク６を表示することは例えば勾配を調整設定するに際し、勾配が０から最大値で設定される傾斜勾配までの範囲における勾配を設定する際の目安とするのに役立つものとできる。
【００２３】
尚、傾斜リング体２自体は、ポリエチレン（ＰＥ）、ポリプロピレン（ＰＰ）、塩化ビニル樹脂（ＰＶＣ）、ポリスチレン（ＰＳ）などの廃棄プラスチックその他の合成樹脂くず、合成繊維くず、合成ゴムくず（廃タイヤを含む）などの固形状・液状の全ての合成高分子系化合物を素材として形成されることを予定しており、その再資源化によって有効利用が図れるようにしている。
【００２４】
次にこれの使用の一例を説明すると、地下埋設ボックスＢを埋設する場所において掘削された設置穴内に地下埋設ボックスＢを位置決め配置し、地下埋設ボックスＢの上部天壁の開口部と地表面ＧＬにおける出入り開口部とを連絡する縁塊Ｒを地下埋設ボックスＢ上に配置するとき、地表面ＧＬが傾斜している勾配がある場合に、この考案勾配調整リング装置１を介装することで縁塊Ｒを積み重ねるのである。
【００２５】
積み重ねに際し、止水シール材Ｓを挟み込んで上下で反転して重ねられている傾斜リング体２を相対的に回転、すなわち下位の傾斜リング体２に対して上位の傾斜リング体２をダイヤル式に回転させることにより、勾配の向き、勾配の程度を調整することで地表面ＧＬに対応させる。このときの傾斜リング体２の地下埋設ボックスＢ上への載置セット、傾斜リング体２相互の相対的な回転は、勾配調整リング装置１自体が合成樹脂材製であって軽量であることと相俟ち、作業員が直接に取り扱うことができ、特別な治具、重機等は不要である。次いで、勾配調整リング装置１上に縁塊Ｒを重ね、例えば側面Ｌ字形の連結プレート１０を縁塊Ｒの側面と地下埋設ボックスＢの上部天壁の上面との間に宛がい、ボルト止め１１によって固定する。
【００２６】
こうすることで、地表面ＧＬが傾斜した場所で地下埋設ボックスＢが鉛直状に埋設配置されても、その縁塊Ｒの開口部は、勾配に対応調整される勾配調整リング装置１を介して地表面ＧＬと面一状となり、開口部を閉蓋する例えば鉄蓋Ｃによって周縁と連続した平坦面を構成できる。
【符号の説明】
【００２７】
Ｂ…地下埋設ボックス                    Ｃ…鉄蓋
Ｒ…縁塊                                Ｓ…止水シール材
ＧＬ…地表面
１…勾配調整リング装置                  ２…傾斜リング体
３…平坦面                              ４…傾斜面
５…シール嵌合溝                        ６…基準マーク
１０…連結プレート                      １１…ボルト止め
【図１】
0003192065.tif 000003
【図２】
0003192065.tif 000004
【図３】
0003192065.tif 000005